(57)【要約】【課題】  本発明はノズルヘッド本体に簡単に装着でき、ノズル筒の先端部に内容液が固着した場合にも内容液の吐出方向を一定の範囲に抑制することができるノズルカバー体を創出することを課題とする。【解決手段】  容器本体の口筒部に組付き固定して使用する手動押下げ注出ポンプ用の合成樹脂製ノズルヘッドにおいて、頂壁を押下げ面とした有頂筒状のヘッド部の側周壁に前方に延出するノズル筒を設けたノズルヘッド本体に注出液の吐出方向を一定の方向に規制すノズルカバー体を装着した構成とし、前記ノズルカバー体は、ヘッド部の頂壁に上方から外嵌固定する嵌合部を有し、この嵌合部の前方端からノズル筒に沿って継ぎ手片を延設し、この継ぎ手片の延設端にヒンジ部を介して、先端方向に拡径するラッパ筒状の先端筒部を付設し、この先端筒部の基端部をノズル筒の先端部に嵌合組付けする構成とする。【選択図】図１
2010052779.tif 000002
【特許請求の範囲】
【請求項１】
容器本体の口筒部に組付き固定して使用する手動押下げ注出ポンプ用の合成樹脂製ノズルヘッドであって、頂壁(4)を押下げ面とした有頂筒状のヘッド部(3)の側周壁(6)に前方に延出するノズル筒(5)を設けたノズルヘッド本体(2)に注出液の吐出方向を一定の方向に規制すノズルカバー体(11)を装着した構成とし、前記ノズルカバー体(11)は、前記ヘッド部(3)の頂壁(4)に上方から外嵌固定する嵌合部(12)を有し、該嵌合部(12)の前方端から前記ノズル筒(5)に沿って継ぎ手片(13)を延設し、該継ぎ手片(13)の延設端にヒンジ部(15)を介して、先端方向に拡径するラッパ筒状の先端筒部(16)を付設し、前記先端筒部(16)の基端部を前記ノズル筒(5)の先端部に嵌合組付けする構成とした手動押下げ注出ポンプ用ノズルヘッド。
【請求項２】
ノズルカバー体(11)を軟質材料製とした請求項１記載の手動押下げポンプ用ノズルヘッド。
【請求項３】
継ぎ手片(13)を、ノズル筒(5)に上方から外嵌するチャネル状とした請求項１または２記載の手動押下げポンプ用ノズルヘッド。
【発明の詳細な説明】
【技術分野】
【０００１】
本発明は、内容液を収納した容器本体の口筒部に組付けられ、押下げ操作により内容液を注出する手動押下げポンプ用の合成樹脂製ノズルヘッドに関する。
【背景技術】
【０００２】
シャンプー、リンス、ボディソープ、ハンドソープ、さらには化粧液等の内容液を収納した容器本体の口筒部に組付けられ、ノズルヘッドを押下げることにより内容液を注出する手動押下げ注出ポンプにおいては、そのノズルヘッドの構造を、ノズル筒を比較的大きく前方に延出させたものとし、これにより注出された内容液が、直接手のひらに注出されるようにしたものが従来から用いられている。
【特許文献１】特開平０９−０１２０５２号公報
【発明の開示】
【発明が解決しようとする課題】
【０００３】
ここで、上記説明したようなノズル筒を前方に延出させた構造を有するノズルヘッドでは、内容液の種類によっては、内容液を注出後に保管している間にノズル筒の先端部に付着残存した内容液が固化する場合があり、次に注出しようとすると、この残存した注出液の固着物により、注出液の吐出方向が定まらない、吐出方向が拡散してしまう等の不具合が発生し、注出液が意図しない方向に飛散し使用者に不快感を与えると共に、使い勝手の悪いものとなってしまう。
【０００４】
本発明は、上記した従来技術における問題点を解消すべく創案されたもので、ノズルヘッド本体に簡単に装着でき、ノズル筒の先端部に内容液が固着した場合にも、内容液の吐出方向を一定の範囲に抑制することができるノズルカバー体を創出することを課題とし、もって操作性に優れ、使い勝手が良く、安心して使用できる手動押下げポンプ用の合成樹脂製ノズルヘッドを提供することを目的とする。
【課題を解決するための手段】
【０００５】
上記技術的課題を解決する本発明の手段の内、主たる構成は、
容器本体の口筒部に組付き固定して使用する手動押下げ注出ポンプ用の合成樹脂製ノズルヘッドにおいて、
頂壁を押下げ面とした有頂筒状のヘッド部の側周壁に前方に延出するノズル筒を設けたノズルヘッド本体に注出液の吐出方向を一定の方向に規制すノズルカバー体を装着した構成とし、
前記ノズルカバー体は、
ヘッド部の頂壁に上方から外嵌固定する嵌合部を有し、この嵌合部の前方端からノズル筒に沿って継ぎ手片を延設し、
この継ぎ手片の延設端にヒンジ部を介して、先端方向に拡径するラッパ筒状の先端筒部を付設し、
この先端筒部の基端部をノズル筒の先端部に嵌合組付けする構成とする、と云うものである。
【０００６】
上記構成のノズルヘッドによれば、嵌合部をヘッド部の頂壁に上方から外嵌固定することにより、ノズルカバー体をノズルヘッド本体に確実に装着固定することができる。
【０００７】
そして、嵌合部の前方端からノズル筒に沿って延設される継ぎ手片を介して、
付設されるラッパ筒状の先端筒部の基端部をノズル筒の先端部に嵌合組付けすることにより、このラッパ筒状の先端筒部により、注出液の吐出方向を一定の方向に規制することができ、ノズル筒の先端部に付着残存した内容液の固着物があったとしても、注出液の吐出方向が拡散してしまう、あるいは注出液が意図しない方向に飛散しまう等の不具合を抑制することが可能となる。
【０００８】
また、先端筒部を継ぎ手片の延設端にヒンジ部を介して付設する構成であり、先端筒部は継ぎ手片の延設端でヒンジ部を軸として移動変位でき、先端筒部とノズルヘッド本体との位置的な干渉を避けることができ、ノズルカバー体の装着工程を容易に達成することができる。
【０００９】
また、ラッパ筒状の先端筒部に残存した内容液の固着物が付着した場合には、この先端筒部をノズル筒から脱嵌合し、ヒンジ部を利用して適宜の姿勢にしてこの固着物を容易に除去することができる。
さらに適宜の姿勢にして、水道水で洗浄するようなことも可能である。
【００１０】
また、先端筒部を継ぎ手片の延設端にヒンジ部を介して付設する構成とすることにより、嵌合部と、継ぎ手片と先端筒部を一定の方向に揃えた姿勢で射出成形ができ、ノズルカバー筒体を簡単な構造の金型で一体成形することが可能となる。
【００１１】
本発明の他の構成は、上記の主たる構成において、ノズルカバー体を軟質材料製とする、と云うものである。
【００１２】
上記構成により、ノズルカバー体を合成樹脂製エラストマー等の軟質材料製とすることにより、ノズルカバー体のラッパ筒状形状をした先端筒部の先端部、あるいは各角部による指先等における擦り傷の発生を防ぐことができる。また、嵌合部のヘッド部への外嵌固定や、先端筒部のノズル筒への嵌合組付け工程を容易に達成することができる。
【００１３】
本発明のさらに他の構成は、継ぎ手片を、ノズル筒に上方から外嵌するチャネル状とする、と云うものである。
【００１４】
上記構成により、チャネル状の継ぎ手片をノズル筒の上方から外嵌することにより、ノズルカバー体のノズルヘッド本体への装着固定をより確実に達成できる。
【発明の効果】
【００１５】
本発明は、上記した構成となっているので、以下に示す効果を奏する。
すなわち主たる構成を有するものにあっては、
先端筒部を継ぎ手片の延設端にヒンジ部を介して付設する構成とすることにより、先端筒部とノズルヘッド本体との位置的な干渉を避けることができ、ノズルカバー体の装着工程を容易に達成することができ、
また、ラッパ筒状の先端部により注出液の吐出方向を一定の方向に規制することができ、ノズル筒の先端部に付着残存した内容液の固着物があったとしても、注出液の吐出方向が拡散してしまう、あるいは注出液が意図しない方向に飛散しまう等の不具合を抑制することができ、使い勝手が良く、操作性に優れ、安心して使用できる手動押下げポンプ用のノズルヘッドを提供することができる。
【００１６】
また、先端筒部を継ぎ手片の延設端にヒンジ部を介して付設する構成とすることにより、嵌合部と、継ぎ手片と先端筒部を一定の方向に揃えた姿勢で射出成形ができ、ノズルカバー筒体を簡単な構造の金型で一体成形することができる。
【発明を実施するための最良の形態】
【００１７】
以下、本発明の実施形態を実施例により図面を参照しながら説明する。
図１〜図４は本発明ノズルヘッドの一実施例を示すものであり、この中、図１は本発明のノズルヘッドの一実施例の一部縦断側面図、図２は平面図である。また、図３は図１に示されるノズルヘッド１の部材の一つであるノズルカバー体１１の斜視図、図４は縦断側面図である。
なお、図１と図２ではポンプＰや容器本体２１を二点鎖線で描いて、ノズルヘッド１を、ポンプＰを介して容器本体２１に装着した状態を表すようにしている。
【００１８】
本実施例のノズルヘッド１は、合成樹脂製の射出成形品であるノズルヘッド本体２とノズルカバー体１１の２ケの部材から成り、ノズルヘッド本体２に上方からノズルカバー体１１を装着固定した構成である。
【００１９】
ノズルヘッド本体２は、有頂円筒状のヘッド部３を有し、またこのヘッド部３の側周壁６から前方に延出するノズル筒５を設け、前方への内容液の注出流路を形成するようにしている。
【００２０】
ノズルカバー体１１は図３、図４に示すような形状の部材であり、ヘッド部３の頂壁４に、上方から外嵌固定する有頂短円筒状の嵌合部１２を有し、この嵌合部１２の前方下端部からノズル筒５に沿うように、このノズル筒５に上方から外嵌する「コの字」チャネル状の継ぎ手片１３を延設し、さらにこの継ぎ手片１３の延設端の上端部にヒンジ部１５を介して、先端方向に拡径するラッパ筒状の先端筒部１６を付設した形状である。また嵌合部１２の内周面の下端部には係止周条１２ｐを付設している。
【００２１】
なお、このノズルカバー体１１は上記のように継ぎ手片１３の延設端にヒンジ部１５を介して先端筒部１６が付設されており、図４に示すように嵌合部１２と先端筒部１６の中心軸の方向を一定の方向に揃えた姿勢で射出成形することができ、簡単な構造の金型で一体成形することができる。
【００２２】
次に、ノズルヘッド本体２にノズルカバー体１１を装着固定する際には、嵌合部１２を強引に押し付けるようにしてヘッド部３の頂壁４に、係止周条１２ｐを利用してアンダーカット状に組付けると共に、チャネル状の継ぎ手片１３をノズル筒５に沿って上方から外嵌し、最後に先端筒部１６の基端部をノズル筒５の先端部に外嵌固定する。
【００２３】
ここで、先端筒部１６はヒンジ部１５を軸として、図４中に白抜き矢印で示したような方向に移動変位できるので、先端筒部１６とノズルヘッド本体２との位置的な干渉を避けることができ、上記ノズルカバー体１１の装着工程を容易に達成することができる。
【００２４】
次に、上記したノズルヘッド１は、図１に示されるように、ヘッド部３の下端部を、キャップ体２２により容器本体２１の口筒部に組付き固定されるポンプＰの主体部分の一部であるステム２３の上端部に、密にかつ不動に外嵌組付きして使用する。
【００２５】
そして、ノズルヘッド１の押下げに伴う、図１に示す状態からのステム２３の下降変位により、ポンプＰ内を上昇した内容液が、ヘッド部３、ノズル筒５、さらに先端筒部１６を経て外部に注出される。
【００２６】
ここで、ラッパ筒状の先端筒部１６をノズル筒５の先端部に嵌合組付けすることにより、この先端筒部１６により注出液の吐出方向を一定の方向に規制することができ、ノズル筒５の先端部に付着残存した内容液の固着物があったとしても、注出液の吐出方向が拡散してしまう、あるいは注出液が意図しない方向に飛散しまう等の不具合を効果的に抑制することができる。
【００２７】
以上、実施例に沿って本発明の実施の形態を説明したが、本発明の作用効果はこれら実施例に限定されものではない。
継ぎ手片１３は必ずしも、上記実施例のようにノズル筒５に上方から外嵌するチャネル状とする必要はなく、使用目的に応じてたとえば弾性変形可能な薄板状としてノズル筒５の形状に沿うように配設することもできる。
【産業上の利用可能性】
【００２８】
本発明のノズルヘッドはノズルヘッド本体にノズルカバー体を簡単に装着したもので、このノズルカバー体によりノズル筒の先端部に内容液が固着した場合にも内容液の吐出方向を一定の範囲に抑制することができるものであり、ポンプと組み合わせて幅広い用途展開が期待できる。
【図面の簡単な説明】
【００２９】
【図１】本発明のノズルヘッドの一実施例を一部縦断して示す側面図である。
【図２】図１のノズルヘッドの平面図である。
【図３】図１中のノズルカバー体の斜視図である。
【図４】図３のノズルカバー体の縦断側面図である。
【符号の説明】
【００３０】
１  ；ノズルヘッド
２  ；ノズルヘッド本体
３  ；ヘッド部
４  ；頂壁
５  ；ノズル筒
６  ；側周壁
１１；ノズルカバー体
１２；嵌合部
１２ｐ；係止周状
１３；継ぎ手片
１５；ヒンジ部
１６；先端筒部
２１；容器本体
２２；キャップ体
２３；ステム
Ｐ  ；ポンプ
【図１】
2010052779.tif 000003
【図２】
2010052779.tif 000004
【図３】
2010052779.tif 000005
【図４】
2010052779.tif 000006